(57)【要約】【課題】組立てて使用することが容易になり、分離して小さく収納できる二段式箸を提供する。【解決手段】下段２は、一端が閉塞端である。上段１は、一端にキャップ４を有し、キャップ４に下段２を挟むための挟み部４４が複数に設けてある。結合部材３は、下段２に固定された第一端部３１１と、下段２に貫入された第二端部３１２とを有する結合本体３１を含み、第二端部３１２には上段１の一端に貫入して係止される係止組３２が設けてある。二段式箸は、係止組３２により上段１のキャップ４から遠ざかった一端に下段２が結合し、係止組３２を上段１に係止することにより、一般の箸と同様な機能を発揮する。また、二段式箸は、上段１のキャップ４から遠ざかった一端に下段２の閉塞端が挿入されて、挟み部４４により下段２の閉塞端が挟まれることにより、収納可能な箸になる。【選択図】図１
2008188333.tif 000002
【特許請求の範囲】
【請求項１】
一端が閉塞端である下段と、
一端にキャップを有し、前記キャップに前記下段を挟むための挟み部が複数に設けてある上段と、
前記下段に固定された第一端部と、前記下段に貫入された第二端部とを有する結合本体を含み、前記第二端部には前記上段の一端に貫入して係止される係止組が設けてある結合部材とを備える二段式箸において、
前記係止組により前記上段のキャップから遠ざかった一端に前記下段が結合され、前記係止組を前記上段に係止することにより、一般の箸と同様な機能を発揮可能であり、
前記上段のキャップから遠ざかった一端に前記下段の閉塞端が挿入され、前記挟み部により前記下段の閉塞端を挟むことにより、端を収納可能であることを特徴とする二段式箸。
【請求項２】
前記キャップは、前記上段に設けられ、前記キャップにある複数の止め部により前記上段が止められ、前記キャップを取り外すための握り部が凸設してあり、前記キャップには前記上段にある複数の凸部とそれぞれ係合する複数の係り溝が設けてあり、前記下段を挟むために、前記各挟み部が前記上段の内壁に当接することを特徴とする請求項１に記載の二段式箸。
【請求項３】
前記挟み部は、ほぼＣ字形を呈することを特徴とする請求項２に記載の二段式箸。
【請求項４】
前記係止組は、弾性子と、止め子と、前記弾性子および前記止め子を収容する収容胴体とを有し、
前記収容胴体が前記結合本体の第二端部に嵌め設けられ、前記上段と前記下段とを結合するために、前記止め子は前記弾性子に付勢されて前記収容胴体にある貫通孔に挿入されることを特徴とする請求項１に記載の二段式箸。
【請求項５】
前記弾性子は、ゴムで作製されたものであり、前記止め子はスチール玉であることを特徴とする請求項４に記載の二段式箸。
【発明の詳細な説明】
【技術分野】
【０００１】
本発明は、二段式箸に係り、特に、結合部材を採用することにより、組立てて使用することが容易になり、そして、分離して収納可能な二段式箸に関するものである。
【背景技術】
【０００２】
図４に示すのは従来の二段式箸であって、手で握ることが可能な上段９を有し、前記上段９には下段８にあるねじ軸８１と連接するためのねじ穴９１が開設してあり、このような構成により、ユーザーが組立てて箸として使用することが容易になり、そして、分離して収納することも可能である。しかし、このような構成の二段式箸は、組立が面倒であり、上段と下段とを分離しても、スペースがかなり掛かるので、収納が極めて不便である。
【０００３】
図５に示すのは従来の別の二段式箸であって、上管７と下管６とから構成されるものであり、前記上管７に係止部７１が設けてあり、前記下管６にも係止部６１が設けてあり、前記下管６が前記上管７内に摺動可能に設けられる。係止部６１が係止部７１に係止されるときに、一般の箸として使用することができ、そして、前記上管７に前記下管６を押し込むと、全体の長さが短くなり、したがって、ユーザーはこのような箸を容易に収納することができる。しかし、このような箸は、容易に収納できるが、前記上管と前記下管６とを分離して洗浄することができないので、細菌が繁殖し易く、そして、長期間で使用すると、磨耗により係止部６１と係止部７１は互いに係止不能になることがある。
【発明の開示】
【発明が解決しようとする課題】
【０００４】
本発明の主な目的は、結合部材を採用することにより、組立てて使用することが容易になり、そして、分離して収納可能な二段式箸を提供することにある。
本発明の次の目的は、収納状態では全体の体積が小さくなる二段式箸を提供することにある。
【課題を解決するための手段】
【０００５】
上記目的を達成するためになされた本発明は、一端が閉塞端である下段と、一端にキャップを有し、前記キャップに前記下段を挟むための挟み部が複数に設けてある上段と、前記下段に固定された第一端部と前記下段に貫入された第二端部とを有する結合本体を含み、前記第二端部に前記上段の一端に貫入して係止される係止組が設けてある結合部材とを含む二段式箸において、前記係止組により前記上段のキャップから遠ざかった一端に前記下段を結合し、前記係止組を前記上段に係止することにより、一般の箸と同様な機能を発揮してもいいし、前記上段のキャップから遠ざかった一端に前記下段の閉塞端を挿入して、前記挟み部により前記下段の閉塞端を挟むことにより、収納可能な箸にしてもいいことを特徴とする二段式箸であることを要旨としている。
【発明の効果】
【０００６】
本発明の二段式箸によれば、結合部材を採用することにより、組立てて使用することが容易になり、分離して収納可能になり、そして、収納状態では全体の体積が小さくなる効果を有する。
【発明を実施するための最良の形態】
【０００７】
以下、添付図面を参照して本発明の好適な実施の形態を詳細に説明する。
まず、図１から図３を参照する。本発明の一実施例による二段式箸は、主に、結合部材３により手で握ることが可能な上段１と食べ物を挟む下段２とを容易に結合することができ、分離して収納することも可能であり、且つ上段１の一端に設けられるキャップ４により、下段２は収納可能になる。
【０００８】
前記上段１は、ほぼ矩形の断面を持つ管体であり、一端にはキャップ４を係止可能な凸部１１が複数に設けてあり、他端には前記下段２を係止するための貫通孔１２が開設してある。前記キャップ４にある複数の止め部４１により前記キャップ４が前記上段１の一端に止められ、このような構成により、全ての前記キャップ４が上段１に入ることを防止でき、且つ前記キャップ４には前記キャップ４を容易に取外し可能な握り部４２が凸設してある。前記キャップ４には前記上段１にある凸部１１と係合する係り溝４３が複数に設けてあり、更に、ほぼＣ字形を呈する挟み部４４が複数で伸びている。
【０００９】
前記下段２は、ほぼ矩形の断面を持つ管体であり、一端が閉塞端であり、他端に結合部材３が挿入してある。前記結合部材３は、前記下段２に固定された第一端部３１１と前記下段２に貫入された第二端部３１２とを有する前記結合本体３１を含み、前記第二端部３１２には前記上段１の一端に貫入して係止される係止組３２が設けてある。更に、前記係止組３２は、弾性子３２１と、止め子３２２と、前記弾性子３２１および前記止め子３２２を収容する収容胴体３２３とを含む。前記収容胴体３２３が前記結合本体３１の第二端部３１２に嵌め設けられ、前記止め子３２２は前記弾性子３２１に付勢されて前記収容胴体３２３にある貫通孔３２３Ａに挿入され、且つ前記貫通孔３２３Ａは断面長さが前記止め子３２２よりも小さいので、前記上段にある貫通孔１２に当接して止められることができる。また、前記弾性子３２１はゴムで作製されたものであり、前記止め子３２２はスチール玉である。
【００１０】
このような構成により、本実施例を使用する場合には、前記上段１のキャップ４から遠ざかった一端に前記接合部材３を設置して、前記上段１の貫通孔１２に前記止め子３２２を係合し、そうすると、上段１と下段２とを結合して箸として使用することができる。
また、本実施例の二段式箸を収納する場合には、図２に示すように、まず、下段２を引き出して、前記下段２の閉塞端を前にして上段１に貫入して、前記挟み部４４により下段２の閉塞端を挟み、そうすると、二段式箸の全長が短くなり、本実施例の二段式箸を容易に収納することができる。
【図面の簡単な説明】
【００１１】
【図１】本発明の一実施例による二段式箸の下段と上段とを示す断面図である。
【図２】本発明の一実施例による二段式箸の下段が上段に結合された状態を示す断面図である。
【図３】本発明の一実施例による二段式箸の下段が上段に収納されて挟み部に挟まれた状態を示す断面図である。
【図４】従来のねじ結合構造を採用した二段式箸を示す概略図である。
【図５】従来の係止結合構造を採用した二段式箸を示す概略図である。
【符号の説明】
【００１２】
１：上段、２：下段、３：結合部材、４：キャップ、６：下管、７：上管、８：下段、９：上段、１１：凸部、１２：貫通孔、３１：結合本体、３２：係止組、４１：止め部、４２：握り部、４３：係合溝、４４：挟み部、６１：係止部、７１：係止部、８１：ねじ軸、９１：ねじ穴、３１１：第一端部、３１２：第二端部、３２１：弾性子、３２２：止め子、３２３：収容胴体、３２３Ａ：貫通孔
【図１】
2008188333.tif 000003
【図２】
2008188333.tif 000004
【図３】
2008188333.tif 000005
【図４】
2008188333.tif 000006
【図５】
2008188333.tif 000007